(57)【要約】【課題】サイマル放送に基づいて記録を行う際に記録に使用する放送方式が頻繁に切り替わることによる不都合を防止する。【解決手段】無線放送による第１の放送を受信して記録する第１の記録手段と、第１放送のサイマル放送としてコンピュータネットワークを介して行われる第２の放送を受信して記録する第２の記録手段とを備えた放送記録装置において、第２放送を視聴するために必要とされる所定の条件を満足しているか否かを判定する判定手段（ステップ４３、４４）と、第２記録手段による記録を開始する場合（ステップ４１）、第１記録手段による記録を並行して行い（ステップ４２）、その後、判定手段により所定条件を満足していないとの判定がなされた場合には、第１記録手段による記録を続行するとともに、第２記録手段による記録を停止して（ステップ４５）該第２記録手段による記録結果を破棄する（ステップ４６）制御手段とを設ける。【選択図】図４
2011119790.tif 000002
【特許請求の範囲】
【請求項１】
無線放送による第１の放送を受信して記録する第１の記録手段と、
前記第１放送のサイマル放送としてコンピュータネットワークを介して行われる第２の放送を受信して記録する第２の記録手段と、
前記第２放送を視聴するために必要とされる所定の条件を満足しているか否かを判定する判定手段と、
前記第２記録手段による記録を開始する場合、前記第１記録手段による記録を並行して行い、その後、前記判定手段により前記所定条件を満足していないとの判定がなされた場合には、前記第１記録手段による記録を続行するとともに、前記第２記録手段による記録を停止して該第２記録手段による記録結果を破棄する制御手段とを具備することを特徴とする放送記録装置。
【請求項２】
前記第１放送又は第２放送を記録する旨の指示を受け入れる指示手段を備え、
前記制御手段は、前記第１放送又は第２放送を記録する旨の指示があったとき、
前記判定手段により前記所定条件を満足している旨の判定がなされた場合には前記第２記録手段による記録の開始を実行し、
一方、前記判定手段により前記所定条件を満足していない旨の判定がなされた場合には前記第１記録手段による記録を開始し、かつその後、前記所定条件を満足している旨の判定がなされた場合には前記第２記録手段による記録の開始を実行するものであることを特徴とする請求項１に記載の放送記録装置。
【請求項３】
前記判定手段による判定結果は、前記第１放送の受信信号レベル又は受信位置に応じて変動するものであることを特徴とする請求項１又は２に記載の放送記録装置。
【発明の詳細な説明】
【技術分野】
【０００１】
本発明は、サイマル放送に基づいて記録を行う放送記録装置に関する。
【背景技術】
【０００２】
このような放送記録装置に関連する技術として、サイマル放送を受像する際にアナログ放送とデジタル放送のうちより高画質な視聴が可能な放送を自動的に選択することができるようにした選局装置が知られている（たとえば、特許文献１参照）。また、主たる放送の記録時には関連放送を同時に記録し、主たる放送の受信状態が悪化して録画不可能となっても、関連放送の記録を活用することにより、コンテンツ再生の際にひとつながりの一貫したコンテンツとして視聴することができるようにした記録再生装置が知られている（たとえば、特許文献２参照）。
【先行技術文献】
【特許文献】
【０００３】
【特許文献１】特開２００５−２２９２４７号公報
【特許文献２】特開２００９−１３５９５９号公報
【発明の概要】
【発明が解決しようとする課題】
【０００４】
従来、放送局からの放送波を受信する受信装置においてその放送波の受信信号レベルが所定値を上回っている場合、又はその放送局の放送対象地域内に受信装置が存在する場合に、その放送局が提供しているＩＰ放送を該受信装置により視聴することを許可するネットワークサービスが知られている。このサービスを利用することができる受信装置においては、放送波の受信信号レベル及び受信装置の現在位置を定期的に取得して監視し、放送波によるアナログ放送の視聴中に、受信信号レベル及び現在位置がＩＰ放送を視聴するために必要とされる視聴条件を満たしている場合には、予めユーザによってＩＰ放送の視聴へ移行することが許可されていれば、自動的にＩＰ放送を視聴できる状態に移行する。また、ＩＰ放送の視聴中にＩＰ放送の視聴条件を満たさなくなった場合にはＩＰ放送の視聴を中止し、アナログ放送を視聴できる状態に移行する。
【０００５】
しかしながら、このような従来のネットワークサービス対応の受信装置によれば、ＩＰ放送の視聴条件を満たしているか否かに応じ、ＩＰ放送及びアナログ放送のうちのいずれの放送方式により視聴を行うかを自動的に切り替えるようにしているので、携帯端末等のようにユーザの移動によって受信環境が変化する場合には、放送の視聴中に放送方式の切替えが頻繁に発生するおそれがある。放送方式の切替えが頻発すると、切替えの度に受信コンテンツの品質が変化するので、非常に視聴しづらい状況になる。
【０００６】
また、放送コンテンツの記録は、ＩＰ放送の場合には、ＩＰ通信を介して送られるストリーミングデータを記録することにより行われるのに対し、アナログ放送の場合には、チューナを介して受信し、デコードして得られるデータを記録することにより行われる。つまりＩＰ放送の場合と、アナログ放送の場合とでは、異なる記録方式で放送コンテンツの記録が行われる。このため、記録する放送の放送方式がＩＰ放送及びアナログ放送間で切り替わると、記録されるファイルも異なるものとなる。そして放送方式の切替えが行われる度に新たなファイルが作成されるので、切替えが頻発する場合には、細切れのデータが大量に発生することになる。また、ＩＰ放送及びアナログ放送を一連のデータとして記録するようにしたとしても、再生時にはやはり、放送方式の切替え部分でコンテンツの品質が変化するので、視聴しづらい状況になる。
【０００７】
また、上述の高画質な視聴が可能な放送を自動的に選択する選局装置や、異なる放送の記録データを一連のデータストリームとして再生する記録再生装置によれば、受信する放送方式の切替えが高い頻度で生ずるおそれがあるので、それによる視聴状況の劣化を是正することはできない。
【０００８】
本発明の目的は、このような従来技術の問題点に鑑み、サイマル放送に基づいて記録を行う際に記録に使用する放送方式が頻繁に切り替わることによる不都合を防止することにある。
【課題を解決するための手段】
【０００９】
この目的を達成するため、第１の発明に係る放送記録装置は、無線放送による第１の放送を受信して記録する第１の記録手段と、前記第１放送のサイマル放送としてコンピュータネットワークを介して行われる第２の放送を受信して記録する第２の記録手段と、前記第２放送を視聴するために必要とされる所定の条件を満足しているか否かを判定する判定手段と、前記第２記録手段による記録を開始する場合、前記第１記録手段による記録を並行して行い、その後、前記判定手段により前記所定条件を満足していないとの判定がなされた場合には、前記第１記録手段による記録を続行するとともに、前記第２記録手段による記録を停止して該第２記録手段による記録結果を破棄する制御手段とを具備することを特徴とする。
【００１０】
第２の発明に係る放送記録装置は、第１発明において、前記第１放送又は第２放送を記録する旨の指示を受け入れる指示手段を備え、前記制御手段は、前記第１放送又は第２放送を記録する旨の指示があったとき、前記判定手段により前記所定条件を満足している旨の判定がなされた場合には前記第２記録手段による記録の開始を実行し、一方、前記判定手段により前記所定条件を満足していない旨の判定がなされた場合には前記第１記録手段による記録を開始し、かつその後、前記所定条件を満足している旨の判定がなされた場合には前記第２記録手段による記録の開始を実行するものであることを特徴とする。
【００１１】
第３の発明に係る放送記録装置は、第１又は第２発明において、前記判定手段による判定結果は、前記第１放送の受信信号レベル又は受信位置に応じて変動するものであることを特徴とする。
【発明の効果】
【００１２】
本発明によれば、サイマル放送に基づく録画を行う際に録画に使用する放送方式が頻繁に切り替わることによる不都合を解消することができる。
【図面の簡単な説明】
【００１３】
【図１】本発明の一実施形態に係るシステムの構成を示す図である。
【図２】図１のシステムにおける受信機の構成を示すブロック図である。
【図３】図２の受信機が記憶しているＵＲＬデータベースを示す図である。
【図４】図２の受信機における録画処理の第１の例を示すフローチャートである。
【図５】図４処理における視聴可否判定処理を示すフローチャートである。
【図６】図４の録画処理に対応する録画終了処理を示すフローチャートである。
【図７】図２の受信機における録画処理の第２の例を示すフローチャートである。
【図８】図２の受信機における録画処理の第３の例を示すフローチャートである。
【図９】図２の受信機における録画処理の第４の例を示すフローチャートである。
【図１０】図９処理において切替え禁止フラグをオフ状態に戻す処理を示すフローチャートである。
【図１１】図２の受信機における録画処理の第５の例を示すフローチャートである。
【図１２】図１１の録画処理に対応する録画終了処理を示すフローチャートである。
【図１３】図４の録画処理の変形例を示すフローチャートである。
【発明を実施するための形態】
【００１４】
図１は本発明の一実施形態に係るシステムの構成を示す。図中の１１は放送事業者が番組を制作して放送するための放送局、１２は放送局１１により放送される番組を視聴者が受信するための据置型受信機、１３は放送局１１により放送される番組を視聴者が受信するためのモバイル型受信機、１４及び１５は放送局１１と受信機１２や１３との間に介在するインターネット及び無線又は有線のＩＰ通信網、そして１６は受信機１３に対して位置情報を提供するためのＧＰＳ衛星である。放送局１１は送信局や中継局からなる放送網１１ａを有する。
【００１５】
放送事業者は放送局１１により、予め収録しておいた番組や生放送の番組を、放送網１１ａを介して放送する。その際、番組の放送に並行し、その放送の放送対象地域内でのみ視聴可能とすることを前提として、所定のコンテンツを、インターネット１４を経由し、ＩＰ放送等により受信機１２や１３に配信するサービス（以下、「インターネットサービス」という。）を行う。所定のコンテンツとしては、たとえば、並行して放送する番組と同内容のものや、これに他の内容を付加したものが該当する。具体的には、放送網１１ａによる放送が地上アナログラジオ放送である場合には、放送番組と同内容の音声コンテンツや、これに映像、静止画、広告情報等を加えたものが該当する。放送番組とは無関係な内容のものであってもよい。特に、放送網１１ａによる放送内容と、インターネットサービスによる配信内容とが同一であって、これらの放送及び配信を同時に行うことは、サイマル放送に該当する。サイマル放送とは、媒体や放送波が異なる放送方式により同一の内容を同時に放送することを意味する。
【００１６】
インターネットサービスを行うに際し、配信されるコンテンツを構成する映像や音声のデータは、インターネットを介して配信するのに適したデータ形式に変換される。受信機１２や１３は、所定の視聴条件が満たされている場合に、インターネットサービスに基づく再生コンテンツの出力や、記録（録画や録音）を行うことができる。この視聴条件の１つとしては、たとえば、受信する放送の放送対象地域内に受信機１２や１３が存在していることが該当する。放送対象地域とは、放送法により規定されている「同一の放送番組の放送を同時に受信できることが相当と認められる一定の区域」である。本実施形態においては、視聴条件を満足するか否かは、後述するように、当該インターネットサービスに対応する放送波による放送の受信信号レベル及び受信地点、並びにＵＲＬデータベースに基づいて判定される。
【００１７】
図２は、受信機１２や１３の構成を示すブロック図である。同図に示すように、この受信機は、受信機の各部を制御する主制御部１７、主制御部１７からの指示に応じ、指示された周波数の受信を行うチューナ部１８、チューナ部１８が受信した信号を復調して主制御部１７に供給する復調部１９、主制御部１７の指示に応じ、現在位置を取得して主制御部１７に供給する現在位置検出部２０、主制御部１７が使用するプログラムやデータを記憶するＲＯＭ２１、主制御部１７が作業領域や記録データの格納用として使用するＲＡＭ２２、音声を出力するためのスピーカ２３、主制御部１７の指示に応じて音声信号をスピーカ２３に供給し、該音声信号の出力を制御する音声出力制御部２４、画像や文字の表示を行うための表示装置２５、主制御部１７の指示に応じてビデオ信号を表示装置２５に供給し、表示装置２５による表示を制御する表示制御部２６、主制御部１７に対する指示操作を行うための操作部２７、及び主制御部１７がインターネット上のサーバにアクセスするための通信部２８を備える。現在位置検出部２０はＧＰＳ受信機などにより現在位置を取得する。
【００１８】
主制御部１７は、放送局１２により放送網１１ａを介して行われる放送をチューナ部１８により受信するするとともに、これと並行して放送局１２により行われるインターネットサービにより配信されるコンテンツを通信部２８により受信し、これらの受信信号に基づいてコンテンツの再生出力や記録を行う。その際には、再生出力や記録の基礎とする受信信号を、上述の視聴条件を満たすか否かに応じて切り替えることが可能であるが、後述するように、この切替えは極力生じないように制御される。記録はＲＡＭ２２に対して行うが、外付けのＵＳＢメモリや、内蔵ハードディスクに対して行うようにしてもよい。
【００１９】
図３はＲＯＭ２１に格納されるＵＲＬデータベースの一例を示す。ＵＲＬデータベースにおいては、都道府県の県域毎に、各放送局の周波数、放送局名、及びその放送局が提供するインターネットサービスに係るリソースのＵＲＬ、並びにその県に隣接する県名が登録されている。主制御部１７は、現在位置及び受信中の周波数に基づき、ＵＲＬデータベースを参照して、該周波数の放送局によるインターネットサービスに係るＵＲＬを取得することができる。たとえば、現在位置が「県域１」内であり、現在の受信周波数が「周波数１」である場合には、受信中の放送局は「放送局名１」であり、そのインターネットサービスに係るＵＲＬとして「ＵＲＬ１」〜「ＵＲＬｎ」を取得することができる。
【００２０】
ＵＲＬデータベースにおいては、１つの放送局に対して複数のＵＲＬが対応している場合がある。この場合、その放送局は複数のＵＲＬによりインターネットサービスを提供している。この場合、主制御部１７はユーザの指示に応じ、各ＵＲＬで示されるサーバへアクセスすることにより、ユーザが視聴するコンテンツを切り替えることができる。インターネットサービスとして１つのＩＰ放送のみを行う放送局については、１つのＵＲＬのみが登録される。ＵＲＬが１つも登録されていない放送局については、インターネットサービスが行われていないことを意味する。この場合、主制御部１７は無条件で放送波に基づく再生出力を行う。
【００２１】
ＵＲＬデータベースにおいては各放送局のＵＲＬ情報を都道府県の県域毎に管理しているので、主制御部１７はＵＲＬデータベースを参照するに際し、現在位置検出部２０により得られる現在位置をいずれかの県域に対応付ける必要がある。現在位置検出部２０により得られる現在位置が緯度経度によるものであるとすれば、受信機がカーナビゲーション装置のように都道府県を特定できるような機能を有する機器に組み込まれている場合にはその機能を利用して、その緯度経度に対応する県域を特定することができる。そのような機能を利用することができない場合であっても、緯度経度に基づいて県域を特定する機能を有するインターネット上のサーバに問い合わせることにより、対応する県域を取得することができる。
【００２２】
なお、ＵＲＬデータベースにおいては、インターネットサービスに係るＵＲＬを登録するようにしているが、ＵＲＬに代えて、インターネットサービスに係るリソースへのアクセスを可能とする他の情報、たとえばインターネットサービスを提供するサーバのＩＰアドレスを登録するようにしてもよい。また、各放送局のＵＲＬ情報を県域単位で管理しているが、県域の下位の区分として市町村による区分を設け、都道府県と市町村を組み合わせた単位で管理するようにしてもよい。また、１つの放送局に対して１つの周波数を対応付けているが、１つの放送局が複数の中継局から異なる周波数で放送を行っている場合もあるので、１つの放送局に対して複数の周波数を対応付けるようにしてもよい。
【００２３】
次に、受信機１２又は１３によりサイマル放送を受信し、録画する録画処理の例について説明する。この例では、サイマル放送は、アナログテレビ放送及びＩＰ放送により行われる。記録処理は、制御部１７により、所定のプログラムに従って行われる。
【００２４】
図４は録画処理の第１の例を示すフローチャートである。この録画処理は、ユーザにより、放送局１１の放送事業者が提供するいずれかのＩＰ放送を録画する旨の指示が行われたことに応答して開始される。
【００２５】
録画処理を開始すると、主制御部１７は、まず、ステップ４１において、録画する旨を指示されたＩＰ放送の録画を開始する。次に、ステップ４２において、該ＩＰ放送に対応するアナログ放送の録画を開始する。次に、ステップ４３において、ＩＰ放送の視聴が可能か否かを判定する視聴可否判定処理を行う。次に、ステップ４４において、視聴可否判定処理による判定結果が「視聴可能」であるか又は「視聴不能」であるかを判定する。「視聴可能」であると判定した場合にはステップ４３へ戻る。すなわち、ステップ４３及び４４においては定期的にＩＰ放送の視聴可否を判定して視聴可能な状態から視聴不能な状態へ遷移するかどうかを監視し、視聴不能な状態に遷移しない限りにおいて、ＩＰ放送及びアナログ放送の録画が継続される。
【００２６】
ステップ４４において「視聴不能」であると判定した場合には、ステップ４５へ進み、ＩＰ放送の録画を中止する。そして、ステップ４６において、それまでのＩＰ放送の録画により生じた録画データを削除する。これにより、録画処理は終了する。アナログ放送の録画はこの後も継続されることになる。
【００２７】
図５は図４のステップ４３におけるＩＰ放送の視聴可否判定処理を示すフローチャートである。この処理では、ＩＰ放送を視聴することができる視聴条件を満たすか否かを、対応するアナログ放送の受信信号レベル、受信機１２又は１３の現在位置、ＵＲＬデータベース等に基づいて調べ、視聴条件を満たす場合にはＩＰ放送の視聴が可能である旨を示す「視聴可能」の判定結果を出力し、満たさない場合にはＩＰ放送の視聴が不能である旨を示す「視聴不能」の判定結果を出力する。
【００２８】
処理を開始すると主制御部１７は、まず、ステップ５１において、判定の対象となるＩＰ放送に対応するアナログ放送の受信信号レベルを取得する。受信信号レベルの取得は復調部１９から行うことができる。次に、ステップ５２において、取得した受信信号レベルが所定値以上であるかどうかを判定する。受信信号レベルが所定値以上である場合には、該アナログ放送は十分に視聴可能なレベルにあり、受信機は該アナログ放送の放送対象地域内に存在する可能性が高い。
【００２９】
ステップ５２において受信信号レベルが所定値以上であると判定した場合には、ステップ５３において現在位置の取得を試みる。そして、ステップ５４において、現在位置を取得できたかどうかを判定する。現在位置を取得できたと判定した場合には、ステップ５５において、取得した現在位置が属する県域を特定する。次に、ステップ５６において、特定した県域内に該アナログ放送の放送局が存在するかどうかを、ＵＲＬデータベースに基づいて判定する。該アナログ放送の放送局が存在すると判定した場合には、ステップ５７において、視聴可否判定処理による判定結果を「視聴可能」に設定し、視聴可否判定処理を終了する。
【００３０】
ステップ５６において県域内に該アナログ放送の放送局が存在しないと判定した場合には、さらに、ステップ５８において、該県域に隣接する県域において該アナログ放送の放送局が存在するかどうかを判定する。存在すると判定した場合には、ステップ５９において、視聴可否判定処理による判定結果を「視聴可能」に設定し、視聴可否判定処理を終了する。
【００３１】
ステップ５４において現在位置が取得できなかったと判定した場合、及びステップ５８において隣接県域に該アナログ放送の放送局が存在しないと判定した場合には、ステップ６０において、視聴可否判定処理による判定結果を「視聴不能」に設定し、視聴可否判定処理を終了する。
【００３２】
一方、ステップ５２において受信信号レベルが所定値以上ではないと判定した場合にはステップ６１〜６４において、上述のステップ５３〜５６の処理と同様の処理を行う。そして、ステップ６４において、ステップ６３で特定した県域において該アナログ放送の放送局が存在すると判定した場合には、ステップ６５において、視聴可否判定処理による判定結果を「視聴可能」に設定し、視聴可否判定処理を終了する。存在しないと判定した場合にはステップ６６において、視聴可否判定処理による判定結果を「視聴不能」に設定して、視聴可否判定処理を終了する。
【００３３】
ステップ６２において現在位置が取得できなかったと判定した場合には、ステップ６７において、視聴可否判定処理による判定結果を「視聴不能」に設定し、視聴可否判定処理を終了する。
【００３４】
以上のようにして、図４のステップ４３の視聴可否判定処理においては、アナログ放送の順信号レベル、現在位置、及びＵＲＬデータベースに基づいて、ＩＰ放送の視聴が可能でるか否かが判定される。そして、ＩＰ放送の視聴が不能である判定された時点で、ＩＰ放送の録画が中止され（ステップ４５）、ＩＰ放送の録画データが破棄されることになる（ステップ４６）。なお、アナログ放送の録画は続行され、後で再生することができる。
【００３５】
図６は図４の録画処理に対応する録画終了処理を示すフローチャートである。この処理は、図４の録画処理が行われている際に、ユーザによる録画を終了する旨の指示や、録画中のプログラムの終了時刻が到来したことなどに応答して開始される。
【００３６】
録画終了処理を開始すると、主制御部１７は、まず、ステップ１６１において、図４の録画処理において録画が開始されたＩＰ放送の録画を現在も継続中であるかどうかを判定する。継続中であると判定した場合には、ステップ１６２において、ＩＰ放送の録画を終了する。次に、ステップ１６３において、対応するアナログ放送の録画を終了する。次にステップ１６４において、アナログ放送の録画により生じた録画データを削除する。これにより、図６の録画終了処理が終了する。この場合、ＩＰ放送の録画データをコンテンツの再生に使用することができる。
【００３７】
一方、ステップ１６１においてＩＰ放送の録画が継続中ではないと判定した場合には、ステップ１６５において、アナログ放送の録画を終了する。これにより図６の録画処理が終了する。この場合、ＩＰ放送の録画は中止され、録画データは削除されているので（図４のステップ４５、４６）、アナログ放送の録画データをコンテンツの再生に使用することができる。
【００３８】
図４の録画処理及び図６の録画終了処理によれば、ＩＰ放送の録画に際し、対応するアナログ放送の録画も並行して行い、支障なく録画を終了した場合には、アナログ放送の録画データを削除してＩＰ放送の録画データを残し、一方、録画の途中でＩＰ放送の視聴条件に適合せず、視聴不能の状況に至った場合には、ＩＰ放送の録画を終了して録画データを破棄し、その後はアナログ放送の録画のみを継続するようにしたため、ＩＰ放送の録画を優先させながらも、録画に係るＩＰ放送及びアナログ放送間の放送形式の切替えが生じないので、断片化された録画データが作成されるのを防止することができる。
【００３９】
図７は録画処理の第２の例を示すフローチャートである。この録画処理は、ユーザによりＩＰ放送又はアナログ放送の録画を行う旨の指示が与えられたことに応答して開始される。この放送受信処理においては、指示された録画に係るＩＰ放送又はアナログ放送の放送形式が途中で変更されることはなく、ＩＰ放送の録画が指示された場合においてＩＰ放送の視聴条件を満足しない状態に至ったときには、ＩＰ放送の視聴を停止するようにしている。
【００４０】
すなわち、録画処理を開始すると、主制御部１７はまず、ステップ７１において、ユーザによる録画開始の指示に係る放送がアナログ放送であるか又はこれに対応するＩＰ放送であるかを判定する。ＩＰ放送であると判定した場合には、ステップ７２において、該ＩＰ放送の受信を開始する。次に、ステップ７３において、ＩＰ放送の視聴可否判定処理を行う。この処理は図５の処理と同様のものである。次に、ステップ７４において、視聴可否判定処理による判定結果が「視聴可能」であるか否かを判定する。「視聴可能」であると判定した場合には、ステップ７５において、ＩＰ放送の録画を継続し、ステップ７３へ戻る。したがって、ステップ７３〜７５により、ＩＰ放送の視聴条件が満たされている間は、ＩＰ放送の録画が行われる。
【００４１】
ステップ７４において視聴可否判定処理による判定結果が「視聴不能」であると判定した場合には、ステップ７６において、ＩＰ放送の録画を中止し、図７の録画処理を終了する。一方、ステップ７１において、録画を指示された放送がアナログ放送であると判定した場合には、ステップ７７において該アナログ放送の録画を開始し、図７の録画処理を終了する。
【００４２】
図７の受信処理によれば、ユーザが録画を指示したＩＰ放送又はアナログ放送の放送方式はＩＰ放送の視聴条件の如何に関係なく変更せず、ＩＰ放送の録画が指示された場合においてＩＰ放送の視聴条件に適合しなくなったときにはＩＰ放送の録画を停止するようにしたため、放送方式の切替えが発生しないので、断片化された録画データが作成されるのを防止することができる。
【００４３】
なお、ステップ７６においてＩＰ放送の録画を中止した後、録画処理を終了するようにしているが、この代わりに、ステップ７６においてＩＰ放送の録画を中止した後、ステップ７３に戻り、視聴可否判定処理による判定結果が「視聴可能」となった場合にＩＰ放送の録画を再開することができるようにしてもよい。その場合、録画を中止している間は、ヌルデータ等のダミーデータを記録し、断片化したファイルの生成を防止するようにしてもよい。
【００４４】
図８は録画処理の第３の例を示すフローチャートである。この録画処理は、ＩＰ放送について録画を開始したときに開始される。この録画処理においては、ＩＰ放送及びアナログ放送間における放送方式の切替え回数が所定回数を超えた後は、放送方式の切替えを行わないようにしている。放送方式の切替え回数をカウントするために、切替えカウンタＣを用いている。
【００４５】
切替えカウンタＣを初期化して処理を開始すると、主制御部１７は、まず、ステップ８１において、録画中のＩＰ放送についての視聴可否判定処理を行う。この処理は図５の処理と同様のものである。次に、ステップ８２において、視聴可否判定処理による判定結果が「視聴可能」であるか否かを判定する。「視聴可能」であると判定した場合には、ステップ８３において、ＩＰ放送の録画を行っている最中であるかどうかを判定する。録画中であると判定した場合にはステップ８１に戻る。このようにして、ＩＰ放送の視聴条件が満たされている限り、ＩＰ放送の録画が継続される。
【００４６】
ステップ８３においてＩＰ放送の録画中ではないと判定した場合には、ステップ８４において、切替えカウンタＣの値が所定値を超えているかどうかを判定する。所定値を超えていると判定した場合にはそのままステップ８１に戻る。この場合には、ＩＰ放送の視聴条件を満たしてはいるが、アナログ放送の録画が続行される。その後、ＩＰ放送の録画へ切り替えられることはない。なお、ＩＰ放送の録画中ではないということは、後述のステップ８９の処理によってアナログ放送の録画に切り替えられていることを意味する。ステップ８４において所定値を超えてはいないと判定した場合には、ステップ８５において、録画の対象を、アナログ放送からＩＰ放送へ切り替える。次に、ステップ８６において、切替えカウンタＣをインクリメントして、ステップ８１に戻る。
【００４７】
ステップ８２において「視聴不能」であると判定した場合には、ステップ８７へ進み、ＩＰ放送を録画している最中であるかどうかを判定する。録画中であると判定した場合には、ステップ８８において、切替えカウンタＣの値が所定値を超えているかどうかを判定する。所定値を超えてはいないと判定した場合には、ステップ８９において、録画対象をＩＰ放送からアナログ放送へ切り替える。次に、ステップ９０において、切替えカウンタＣをインクリメントして、ステップ８１に戻る。
【００４８】
ステップ８７においてＩＰ放送の録画中ではないと判定した場合には、そのままステップ８１に戻る。この場合には、アナログ放送の録画がそのまま継続されることになる。ステップ８８において切替えカウンタＣが所定値を超えていると判定した場合には、そのままステップ８１に戻る。この場合には、ＩＰ放送の視聴条件を満たしてはいないが、ＩＰ放送の録画が続行される。その後、アナログ放送の録画へ切り替えられることはない。
【００４９】
図８の録画処理によれば、録画に係るＩＰ放送及びアナログ放送間の放送形式の切替えが所定回数を超えた後は、放送形式の切替えを行うことなく、超えた時点での放送形式による録画を継続するようにしたため、録画に係る放送形式の切替えが所定回数を超えて生じるのを防止することができる。なお、放送形式の切替えにより、録画データが細切れになるのを防止するために、録画を行っていない期間、ＩＰ放送の録画データにおいてはヌルデータを記録したり、アナログ放送の録画データにおいては無信号状態を記録したりするようにしてもよい。また、録画中に放送形式の切替えが生じても、再生に際し、ＩＰ放送の録画データ及びアナログ放送の録画データを放送形式の切替えタイミングに同期させて切り替えて用い、コンテンツを一貫して再生できるように、放送形式の切替えタイミングを記録し、管理するようにしてもよい。
【００５０】
図９は録画処理の第４の例を示すフローチャートである。この録画処理はＩＰ放送について、ユーザの指示により録画を開始したときに開始される。この録画処理においては、ＩＰ放送及びアナログ放送間における放送方式の切替えが生じた後、その時点から所定時間が経過するまでは、放送方式の切替えを行わないようにしている。その際、放送方式が切り替えられた時点から所定時間が経過したことを検出するために、所定時間の計時を完了したときにタイムアウトする切替えタイマが用いられる。また、放送方式の切替えが禁止されている場合にオン状態となる切替え禁止フラグが用いられる。
【００５１】
切替えタイマを初期化しかつ切替え禁止フラグをオフとして録画処理を開始すると、主制御部１７は、まず、ステップ９１において、ＩＰ放送の視聴可否判定処理を行う。この処理は図５の処理と同様のものである。次に、ステップ９２において、視聴可否判定処理による判定結果が「視聴可能」であるか否かを判定する。「視聴可能」であると判定した場合には、ステップ９３において、ＩＰ放送を録画している最中であるかどうかを判定する。録画中であると判定した場合にはステップ９１に戻る。このようにして、ＩＰ放送の視聴条件が満たされている限り、ＩＰ放送の録画が継続される。
【００５２】
ステップ９３において録画中ではないと判定した場合には、ステップ９４において、切替え禁止フラグがオン状態であるかどうかを判定する。オン状態であると判定した場合にはそのままステップ９１に戻る。この場合には、ＩＰ放送の受信条件が満たされてはいるが、アナログ放送の録画が続行される。オン状態ではないと判定した場合には、ステップ９５において、録画対象をアナログ放送からＩＰ放送へ切り替える。次に、ステップ９６において、切替え禁止フラグをオン状態とする。次に、ステップ９７において、切替えタイマによる計時を開始し、ステップ９１に戻る。この場合、オン状態とされた切替え禁止フラグは、後述する図１０の処理によって、切替えタイマがタイムアップしたときにオフ状態に戻されることになる。
【００５３】
ステップ９２において視聴可否判定処理による判定結果が「視聴不能」であると判定した場合には、ステップ９８へ進み、ＩＰ放送を録画している最中であるかどうかを判定する。録画中であると判定した場合には、ステップ９９において、切替え禁止フラグがオン状態であるかどうかを判定する。オン状態ではないと判定した場合には、ステップ１００において、録画対象をＩＰ放送からアナログ放送へ切り替える。次に、ステップ１０１において、切替え禁止フラグをオン状態とする。次に、ステップ１０２において、切替えタイマによる計時を開始し、ステップ９１に戻る。この場合、オン状態とされた切替え禁止フラグは、後述する図１０の処理によって、切替えタイマがタイムアップしたときにオフ状態に戻されることになる。
【００５４】
ステップ９８においてＩＰ放送の録画中ではないと判定した場合には、そのままステップ９１に戻る。この場合には、アナログ放送の録画が続行されることになる。ステップ９９において切替え禁止フラグがオン状態であると判定した場合には、そのままステップ９１に戻る。この場合には、ＩＰ放送の視聴条件が満たされてはいないが、ＩＰ放送の録画が続行されることになる。
【００５５】
図１０は、切替え禁止フラグをオフ状態に戻す処理を示すフローチャートである。この処理は、切替えタイマによる計時が開始されたことに応答して行われる。すなわち、処理を開始すると、制御部１７は、まず、ステップ１０３において、切替えタイマがタイムアウトするのを待機する。切替えタイマがタイムアウトすると、ステップ１０４において、切替え禁止フラグをオフ状態とする。また、切替えタイマをリセットする。これにより、図１０の処理が終了する。
【００５６】
図９の録画処理によれば、ＩＰ放送及びアナログ放送間の放送形式の切替えが生じた時点から所定時間が経過するまでは、放送形式の切替えを禁止し、切替え後の放送形式による録画を継続するようにしたため、放送形式の切替えが頻繁に生じるのを防止することができる。なお、放送形式の切替えにより録画データが細切れになるのを防止するために、録画を行っていない期間、ＩＰ放送の録画データにおいてはヌルデータを記録したり、アナログ放送の録画データにおいては無信号状態を記録したりするようにしてもよい。また、放送形式の切替えが生じた場合でも、再生に際し、ＩＰ放送の録画データ及びアナログ放送の録画データを放送形式の切替えタイミングに同期させながら切り替えて用いることによりコンテンツを一貫して再生できるように、放送形式の切替えタイミングを管理するためのデータを併せて記録しておくようにしてもよい。
【００５７】
図１１は録画処理の第５の例を示すフローチャートである。この録画処理は、ＩＰ放送を録画する旨の指示がユーザによりなされたことに応答して行われる。この録画処理においては、ＩＰ放送の録画とともに、対応するアナログ放送が別個に並行して録画される。その間、ＩＰ放送及びアナログ放送間の放送方式の切替えは行われることはなく、ＩＰ放送の録画は、視聴条件が満たされない期間は中止される。
【００５８】
すなわち、録画処理を開始すると、主制御部１７は、まず、ステップ１１１において、指定されたＩＰ放送の録画を開始する。次に、ステップ１１２において、該ＩＰ放送に対応するアナログ放送の録画を開始する。次に、ステップ１１３において、該ＩＰ放送についての視聴可否判定処理を行う。この処理は、図５の処理と同様の処理である。次に、ステップ１１４において、視聴可否判定処理の結果が「視聴可能」であるかどうかを判定する。「視聴可能」と判定した場合にはステップ１１５において、ＩＰ放送の録画が行われている最中であるかどうかを判定する。録画の最中であると判定した場合には、そのままステップ１１３へ戻る。すなわち、定期的にＩＰ放送の視聴可否を判定し、視聴可能な状態である場合には、ＩＰ放送の録画が継続される。ステップ１１５において録画の最中ではないと判定した場合には、ステップ１１６において、ＩＰ放送の録画を再開し、ステップ１１３に戻る。
【００５９】
ステップ１１４において視聴可否判定処理の結果が「視聴不能」であると判定した場合には、ステップ１１７へ進み、ＩＰ放送の録画を中止し、ステップ１１３に戻る。このようにして、ＩＰ放送の録画は、視聴条件を満たす期間においてのみ行われる。アナログ放送の録画は中断されることなく継続される。
【００６０】
図１２は図１１の録画処理に対応する録画終了処理を示すフローチャートである。この処理は図１１の録画処理を行っている間に、ユーザにより録画を中止する旨の指示が与えられたことや、録画中のコンテンツの放送時間が終了したことに応答して開始される。処理を開始すると、制御部１７は、まず、ステップ１２１において、ＩＰ放送の録画が行われている場合に、そのＩＰ放送の録画を終了する。次に、ステップ１２２において、アナログ放送の録画を終了する。これにより、図１２の録画終了処理が終了する。ＩＰ放送の録画が途中で中断されたかどうかに拘わらず、ＩＰ放送の録画データ及びアナログ放送の録画データが生成され、生成された各録画データの取り扱いはユーザに任されることになる。
【００６１】
図１１の録画処理及び図１２の録画終了処理によれば、ＩＰ放送の録画及び対応するアナログ放送の録画を並行して行い、ＩＰ放送の録画は、ＩＰ放送の視聴条件が満たされる間においてのみ行うようにしたため、ＩＰ放送及びアナログ放送間の放送形式の切替えが発生するのを防止することができる。なお、ＩＰ放送の録画データが細切れになるのを防止するために、録画を行っていない期間、ＩＰ放送の録画データにおいてはヌルデータを記録するようにしてもよい。
【００６２】
なお、ＩＰ放送及びアナログ放送の放送形式の切替えを防止する方策としては、他に、録画する放送の放送方式を、録画開始時に受信可能である放送方式に固定する方法も考えられる。その際、いずれの放送方式の放送も受信可能である場合には、ＩＰ放送の録画を優先させるようにしてもよい。すなわち、放送コンテンツについての録画が指示された場合、その放送コンテンツについて、ＩＰ放送及びアナログ放送により受信可能であるかどうかを調べ、双方により受信可能であればＩＰ放送の録画を行い、いずれか一方のみが受信可能であればその放送形式により録画を行い、放送コンテンツの放送が終了するまで放送形式の切替えを行わないようにしてもよい。
【００６３】
なお、本発明は、上述実施形態に限定されることなく適宜変形して実施することができる。たとえば、上述図９の実施形態においては、放送形式の切替えが生じてから所定期間が経過するまで放送形式の切替えを禁止するようにしているが、放送形式の切替えを禁止する期間を、録画するコンテンツ（番組）の放送時間がわかっている場合には、そのコンテンツの放送時間の間とするようにしてもよい。すなわち、該コンテンツの放送時間内においては、ユーザが選択した放送方式からは切り替えないようにしてもよい。
【００６４】
また、上述においては言及しなかったが、上述の各録画処理においては、録画内容を表示装置２５及びスピーカ２３を介して提示しながら、つまり視聴を行いながら録画を行うようにしてもよい。その際、図８及び図９の録画処理において、ＩＰ放送の録画中にＩＰ放送の視聴条件を満たさなくなった場合でもアナログ放送の録画への切替え（ステップ８９及びステップ１００）を行わずにＩＰ放送の録画を続行する場合には、表示装置２５における表示内容を、最後に受信した映像のままに固定したり、ブラックアウトさせたり、他の静止画像にしたりするようにしてもよい。その場合、音声については、そのまま受信内容を出力させたり、ミュートさせたりするようにしてもよい。そして、ＩＰ放送の視聴条件が再び満たされた時点で、映像及び音声を、受信内容のものに復帰させるようにしてもよい。
【００６５】
また、ネットワークの状況や放送局のサーバの状況によっては、ＩＰ放送の視聴条件を満たしていても、ＩＰ放送を視聴することができなくなる場合がある。その場合においても、アナログ放送の録画への切替えを行うことなく、表示装置２５における表示内容を、最後に受信した映像のままに固定したり、ブラックアウトさせたり、他の静止画像にしたり、音声については、そのまま受信内容を出力させたり、ミュートさせたりするようにしてもよい。そして、ネットワークの状況等が回復した時点で、映像及び音声を復帰させるようにしてもよい。
【００６６】
また、上述においては、各録画処理をそれぞれ独立した態様のものとして説明したが、これらの態様は適宜組み合わせて実施するようにしてもよい。たとえば、図８の態様及び図９の態様を結合して実施するようにしてもよい。つまり、放送形式の切り替えが生じてから所定期間が経過するまでは放送形式の切替えを禁止するとともに、切替えの回数が所定値を超えた場合には切替えを完全に禁止するようにしてもよい。
【００６７】
また、上述においては、放送網１１ａを介して行われる放送として地上波アナログテレビ放送が行われる場合について説明したが、これに限らず、地上波のデジタル放送やラジオ放送が行われる場合にも本発明を適用することができる。
【００６８】
また、上述においては録画を行う場合について説明したが、これらの態様における放送方式の切替えを極力少なくするための制御は、録画を行う場合に限らず、直接視聴を行う場合にも適用することができる。その場合、「録画」を「視聴」に置き換えるとともに、録画データに関する取り扱いを省略すればよい。
【００６９】
また、上述図４の録画処理は、ユーザによりいずれかのＩＰ放送を録画する旨の指示が行われたことに応答して開始されるようしているが、この代わりに、いずれかのアナログ放送又は対応するＩＰ放送を録画する旨の指示を受け入れるとともに、そのとき、ＩＰ放送について視聴可能判定処理によって「視聴可能」と判定された場合に図４の録画処理を開始し、一方、視聴可能判定処理によって「視聴不能」と判定された場合にはアナログ放送の録画を開始し（この場合はステップ４２の処理は不要）、かつその後、視聴可能判定処理によって「視聴可能」と判定された場合に図４の録画処理を開始するようにしてもよい。
【００７０】
また、図５のＩＰ放送の視聴可否判定処理の内容は、法律上の制約等により、適宜変更してもよい。たとえば、受信信号レベルが所定値以上でない場合、現在位置に拘わらず、ＩＰ放送の視聴が不能であると判定するようにしてもよい。また、ＩＰ放送の視聴可否判定を受信機で行わず、ＩＰ放送の視聴可否判定を行う機能を有するサーバを設置し、受信機からサーバに受信信号レベルや現在位置を送信し、サーバにおいて視聴可否判定を行い、その結果を受信機に送信するようにしてもよい。
【００７１】
また、上述においては、ステップ４４、７４、８２、９２、及び１１４において視聴可否判定処理による判定結果が「視聴不能」であると判定された場合、直ちにＩＰ放送の録画を中止するようにしているが（ステップ４５、７６、８９、１００、１１７）、この代わりに、「視聴不能」であると判定された時点からの経過時間を測定し、所定時間が経過するまでの間は記録を継続し、その間にＩＰ放送の視聴条件を満足するようになった場合には、ＩＰ放送の録画を中止しないようにしてもよい。具体的には、たとえば図４の録画処理の場合には、次のようにしてもよい。
【００７２】
すなわち、図１３に示すように、図４の録画処理（ステップ４１〜４６）に対し、ステップ４４−１〜４４−５を追加し、ステップ４４において「視聴不能」であると判定された場合には、計測開始フラグをオン状態として経過時間の計測を開始し（ステップ４４−１、４４−２）、ＩＰ放送の視聴可否判定処理（ステップ４３、４４）を行いながら、所定時間が経過するのを待機する（ステップ４４−３）。この間、ＩＰ放送の視聴条件を満足するようになり、視聴可否判定処理においてＩＰ放送の視聴が可能であると判定された場合には（ステップ４３、４４）、経過時間の計測を終了して計測開始フラグをオフ状態に戻し（ステップ４４−４、４４−５）、ＩＰ放送の視聴可否判定を続行する。一方、ＩＰ放送の視聴条件を満足することなく所定時間が経過した場合にはＩＰ放送の録画を中止する（ステップ４４−３、４５）。
【００７３】
また、上述図４の録画処理において、ＩＰ放送の録画を中止した場合（ステップ４５）には、ＩＰ放送の録画データを削除するようにしているが（ステップ４６）、この代わりに、ＩＰ放送の録画データを削除するか否かを、アナログ放送の受信信号レベルに応じて決めるようにしてもよい。たとえば、図５のＩＰ放送の視聴可否判定処理において、ステップ６０でＩＰ放送の視聴が不能であると判定する場合には、アナログ放送の受信信号レベルが所定値以上であるにもかかわらず、該当する放送局が存在しないために視聴不能と判定する場合であり、アナログ放送の品質は良好である。一方、ステップ６６及び６７によりＩＰ放送の視聴が不能であると判定する場合には、受信信号レベルは所定値以下であり、アナログ放送の品質は良好ではない。そこで、ステップ６０により視聴不能と判定した場合にはＩＰ放送の録画データを削除し、ステップ６６及び６７により視聴不能と判定した場合には、両放送の録画データを残すようにしてもよい。
【符号の説明】
【００７４】
１１：放送局、１１ａ：放送網、１２：据置型受信機、１３：モバイル型受信機、１４：インターネット、１５：ＩＰ通信網、１６：ＧＰＳ衛星、１７：主制御部、１８：チューナ部、１９：復調部、２０：現在位置検出部、２１：ＲＯＭ、２２：ＲＡＭ、２３：スピーカ、２４：音声出力制御部、２５：表示装置、２６：表示制御部、２７：操作部、２８：通信部。
【図１】
2011119790.tif 000003
【図２】
2011119790.tif 000004
【図３】
2011119790.tif 000005
【図４】
2011119790.tif 000006
【図５】
2011119790.tif 000007
【図６】
2011119790.tif 000008
【図７】
2011119790.tif 000009
【図８】
2011119790.tif 000010
【図１０】
2011119790.tif 000011
【図９】
2011119790.tif 000012
【図１１】
2011119790.tif 000013
【図１２】
2011119790.tif 000014
【図１３】
2011119790.tif 000015